(57)【要約】      （修正有）【課題】蓋部開閉による筆記体出没時のノック加重を軽減するとともに、確実なエアータイトが不十分でスムーズなノック操作が得られるようにする。【解決手段】ノックスプリング７に弾発力を付与する中軸６の筆記方向への移動時に、係合爪３ｃに略直角曲面の突出角部を形成することにより、軸筒より径方向外側に延出した摺接面である第１係合部に摺接しやすくなり、蓋部３ａを開く方向の回動力を摺接面に分散させて付与することにより、突出角部の変形を回避する。他方ノックスプリングの弾発力による中軸６の収納方向への移動時に、係合爪３ｃが先具と軸筒とを接続する継手に設けられた軸筒より径方向外側に突出した係合端部に設けられた第２係合部に当接することによって、蓋部３ａが傾斜開口を密閉する回動力を付与する。これにより片手で尾栓１２を軽くノック操作するだけで、筆記先端を軸筒より外部へ突出させて筆記状態若しくは収納状態にする。【選択図】図１
2009234027.tif 000002
【特許請求の範囲】
【請求項１】
軸筒内を軸線方向に摺動する中軸と、この中軸内に収納されかつ筆記先端を中軸より前方に突出される筆記体と、外方に突出した軸受部を有し、かつシールパッキンを介して中軸の前端部に支持された内筒と、一端側を蓋部とし他端側を係合爪とし、かつ中間部を軸受部に回動可能に取付けられたシールキャップと、シールキャップを軸受部に回動可能に取付ける回転軸と、軸筒と中軸との間に設けられたノックスプリングと、軸筒の前方に設けられかつ前端中央に筆記体の出入口を有する先具とを備える筆記具において、ノックスプリングに弾発力を付与する中軸の筆記方向への移動時に、前記係合爪が、先具に設けられ軸筒より径方向外側に延出した第１係合部に摺接することによってシールキャップに蓋部を開く方向の回動力を付与し、ノックスプリングの弾発力による中軸の収納方向への移動時に、前記係合爪が、先具と軸筒とを接続する継手に設けられた軸筒より外側径方向に突出しかつ軸方向に隆起させた第２係合部に当接することによって、シールキャップに蓋部を閉じる方向の回動力を付与することを特徴とするキャップレス筆記具。
【請求項２】
前記シールパッキンが、内筒の先端および後端を覆うように介装されていることを特徴とする請求項１記載のキャップレス筆記具。
【請求項３】
筆記体収納時において第2係合部は、回転軸よりも軸方向前方に設けられていることを特徴とする請求項1記載のキャップレス筆記具。
【請求項４】
ノックスプリングの弾発力による中軸の筆記方向への移動時に、係合爪に形成される略直角曲面の突出角部が、軸筒より径方向外側に延出した摺接面である第１係合部に摺接することにより、シールキャップに蓋部を開ける方向の回動力を付与することを特徴とする請求項1記載のキャップレス筆記具。
【発明の詳細な説明】
【技術分野】
【０００１】
この発明は、マーカー、サインペン、修正液等の揮発性インキを用いる筆記体を備えた自動開閉式蓋付き筆記具、いわゆるキャップレス筆記具に関する。
【背景技術】
【０００２】
従来、この種のキャップレス筆記具として、特許文献１に記載されたものが知られている。この構成では、閉塞したときに蓋部が軸部端面にシール部材が固着された開口端を密接するように構成されている。また、特許文献2では、筆記体の先部に軸方向に移動可能に設けられたキャップを移動させることにより、筆記先端を外方に突出する筆記位置にしたり、開口部が閉塞されて筆記先端の周囲を気密的に包囲する収納位置にするように構成されている。また、特許文献3では、軸筒上に形成された貫通孔に蓋に設けられた係止爪が当接することにより蓋部を押圧し、閉口時の密閉効果が向上された構成を開示している。
【０００３】
【特許文献１】特開平８−２５８４８０号公報
【特許文献２】特許第３６２９６８５号公報
【特許文献３】特開２００５−３３５０８２号公報
【発明の開示】
【発明が解決しようとする課題】
【０００４】
しかしながら、特許文献1に開示された構成では、後方開口部はシール部材で覆われていないため、エアータイトが不十分であるという課題があった。
また、特許文献2に開示された構成では、密閉時に蓋体に設けられた押圧リブがキャップの内面に摺接することにより収納されるが、押圧リブによる傾斜開口縁に対する圧着は側面方向からの押圧による密閉のため、後方からの付勢力を加重せざるをえず、使用時のノック加重が重くなるという課題があった。また、特許文献３の傾斜開口の密閉時は、窓部に設けられた係止部が径方向支軸延長上で、かつ軸方向軸筒延長上に設けられるために、支軸からの距離を確保できず、密閉性に欠けていた。また、傾斜開口の開口時は、窓部に設けられた係止爪の当接部である一箇所に蓋を回動させるため押圧力が集中するために、使用回数を重ねると係止爪の係止突起の形状が変形し、スムーズなノック操作が得られなかった。
この発明は、上記従来の課題を解消するためになされたもので、蓋部開閉による筆記体出没時のノック加重を軽減するとともに、確実なエアータイトとスムーズなノック操作が得られるノック式のキャップレス筆記具を提供することを目的とする。
【課題を解決するための手段】
【０００５】
軸筒内を軸線方向に摺動する中軸と、この中軸内に収納されかつ筆記先端を中軸より前方に突出される筆記体と、外方に突出した軸受部を有し、かつシールパッキンを介して中軸の前端部に支持された内筒と、一端側を蓋部とし他端側を係合爪とし、かつ中間部を軸受部に回動可能に取付けられたシールキャップと、シールキャップを軸受部に回動可能に取付ける回転軸と、軸筒と中軸との間に設けられたノックスプリングと、軸筒の前方に設けられかつ前端中央に筆記体の出入口を有する先具とを備える筆記具において、ノックスプリングに弾発力を付与する中軸の筆記方向への移動時に、前記係合爪が、先具に設けられ軸筒より径方向外側に延出した第１係合部に摺接することによってシールキャップに蓋部を開く方向の回動力を付与し、ノックスプリングの弾発力による中軸の収納方向への移動時に、前記係合爪が、先具と軸筒とを接続する継手に設けられた軸筒より外側径方向に突出しかつ軸方向に隆起させた第２係合部に当接することによって、シールキャップに蓋部を閉じる方向の回動力を付与することを特徴とするキャップレス筆記具。
【発明の効果】
【０００６】
この発明に係るキャップレス筆記具によれば、ノックスプリングに弾発力を付与する中軸の筆記方向への移動時に、係合爪に略直角曲面の突出角部を形成することにより、軸筒より径方向外側に延出した摺接面である第１係合部に摺接しやすくなり、蓋部を開く方向の回動力を摺接面に分散させて付与することにより、突出角部の変形を回避することができる。他方ノックスプリングの弾発力による中軸の収納方向への移動時に、係合爪が先具と軸筒とを接続する継手に設けられた軸筒より径方向外側に突出した係合端部に設けられた第２係合部に当接することによって、蓋部が傾斜開口を密閉する回動力を付与することができる。これにより片手で尾栓を軽くノック操作するだけで、筆記先端を軸筒より外部へ突出させて筆記状態若しくは収納状態にすることができる。
【０００７】
また、この時、上記軸受部を有する内筒の後方に突設された係合爪が、中軸の細径部の外周面に形成された段部に係合している。そのため、中軸の収納方向移動力に従って、内筒を介してシールキャップにも同じ方向の移動力が付与される。しかし、シールキャップは、係合爪が第２係合部に係合して移動できないため、上記移動力は軸受部を支点とするシールキャップの回動力に変換される。このため、シールキャップの蓋部は第2係合部が回転軸よりも軸方向前方に設けられていることにより、内筒の傾斜開口を上方より閉塞するので、上記の回動力が加わり、確実なエアータイトが得られて気密性が完全に保てる効果がある。
【発明を実施するための最良の形態】
【０００８】
以下、この発明の実施例を、図面を用いて説明する。  図１〜図４は、この発明に係るキャップレス筆記具の実施例を示し、図１は筆記体の収納状態を示す縦断面図、図２はその前部の拡大縦断面図、図３は筆記体が突出された筆記状態を示す縦断面図、図４はその前部の拡大縦断面図である。
【０００９】
図において、この発明に係るキャップレス筆記具の構成を概略述べると、内筒１と、シールパッキン２と、シールキャップ３と、軸筒４と、クリップ５と、中軸６と、ノックスプリング７と、回転カム８と、継手９と、筆記体１０と、中綿１１と、尾栓１２と、先具１３とから成る。
【００１０】
まず、内筒１は、その前端部の外面には外方に突出して軸受部１ａが一体に形成されており、その前端面には傾斜開口１ｂが形成されている。この傾斜開口１ｂは軸受部１ａに向かって斜めに切欠かれている。また、内筒１の後端両側には、軸線方向に向かって一対の係止片１ｃが突設されている。
【００１１】
シールパッキン２は筒状体をなし、その外径は内筒１に挿入できるように該内筒１の内径と同等または僅かに小径に形成されている。そして、その軸方向の長さは内筒１より長く、内筒１に挿入したとき該内筒１の両端より突出して該両端を覆うようになっている。そして、その前端面には傾斜開口２ａが形成されている。この傾斜開口２ａは内筒１の前端に形成された傾斜開口１ｂと同形状に形成されている。
【００１２】
シールキャップ３は、中間部に支持部３ｂを、その一端側には内筒１の前端に形成された傾斜開口１ｂを開閉する蓋部３ａを、さらに他端側には第１係合部１３ｂと第２係合部９ｄとに交互に係合する係合部としての係合爪３ｃを有し、係止片3ｃには摺接面である第1係合部１３ｂに摺接する略直角曲面の突出角部3ｄが形成される。
【００１３】
軸筒４は筆記具の本体をなすもので、筒状体で構成されており、後端外面にはクリップ５を着脱するねじ部４ａが形成され、その内部の軸方向中間部には内方に突出するフランジ４ｂが形成されている。
【００１４】
中軸６は筒状体で構成されており、その後端部６ａの外径は軸筒４に挿入できるように軸筒４の内径と略同径に形成されており、その中間部６ｂは軸筒４内のフランジ４ｂを貫通できる小径をなし、さらに前端部は細径部６ｃに形成されている。回転カム８は筒状体で構成されており、その後端部は中軸６の中間部６ｂの前部に圧入できる内径を有し、かつ前端には軸線方向に向かって係合突起８ａが突設されている。
【００１５】
継手９は、筒状体で構成されており、後端部９ａは軸筒４の前端部内に圧入固定できる外径を有し、中間部には圧入位置決め用のフランジ９ｂを有する。そして、このフランジ９ｂの一部から前側に、係合端部９ｃが突設されている。先具１３は継手９の外側に嵌合されるとともに、その両者の嵌合部に形成された凹凸係合部（図示せず）によって組み付けられて固定される。そして、先具１３は前端側が先細りに形成され、その先細り前端面には、アクリル芯などの筆記体１０が出入りする先端開口１３ａが形成されている。なお、図中符号１４は、シールキャップ３の蓋部３ａの回転軸を示す。
【００１６】
次に、各部品の組み付けについて説明する。まず、内筒１にシールパッキン２を挿入セットする。そして、シールキャップ３をその支持部３ｂと回転軸１４によって内筒１の軸受部１ｂに回動可能に取付ける。次いで、軸筒４の後端外面のねじ部４ａにクリップ５を取付ける。そして、中軸６の中間部６ｂの外側にノックスプリング７を装着した後、この中軸６を軸筒４に後端側から挿入し、この中軸６の中間部６ｂの前端部に回転カム８を圧入・固定する。
【００１７】
その後、軸筒４の前端に継手９を圧入固定し、中軸６の前端部の細径部６ｃに筆記体１０を挿入セットする。この場合、筆記体１０の後端部は中軸６の中間部６ｂの中まで挿入されている。次にシールキャップ３を取付けた内筒１にシールパッキン２を介して中軸６に摺動可能に組み付ける。そして、インクが充填された中綿１１を中軸６に挿入した後、その中軸６の後端に操作部材として尾栓１２をねじ込み固定する。そして、継手９の前部に先具１３を取付けて組み付けを完了する。
【００１８】
次に、上記の構成からなるキャップレス筆記具の操作について説明する。図１および図２に示すように、筆記体１０をシールパッキン２内に収納させているときは、シールキャップ３が回転軸１４を支点に回動するように取り付けられ、蓋部３ａがシールパッキン２の傾斜開口２ａを密閉している。このとき、中軸６は、軸筒４のフランジ４ｂと中軸６の段差部６ｄとの間に装着されたノックスプリング７の復元力によって軸筒１内に引き入れられている。
【００１９】
また、軸受部１ａを有する内筒１の係止片１ｃは、中軸６の細径部６ｃの外周面の係合段部６ｅに係合しているため、中軸６の収納方向移動力に従って、内筒１を介してシールキャップ３にも同じ方向の移動力が付与される。シールキャップ３は係合爪３ｃが第２係合部９ｄに係合して移動できないため、上記の移動力は軸受部１ａを支点とする回動力に変換される。径方向外端を軸方向に最も隆起させて係合端部9ｃに設けられる第2係合部9ｄは、回転軸よりも径方向外側に、かつ軸方向前方に設けられる。このため、シールキャップ3の蓋部3ａは、係合爪3ｃの最外端を第2係合部9ｄに当接させることにより、内筒の傾斜開口を上方より上記の回動力が加わり閉塞するので、強く内筒１の傾斜開口１ｂが密閉される。
【００２０】
次に上記のように、筆記体１０がシールパッキン２内に収納されている状態から、筆記体１０を外部に突出させて筆記状態にする場合について述べる。この場合には、キャップレス筆記具の尾栓１２を軸筒４内にノック操作することにより、回転カム８を取付けた中軸６がノックスプリング７を押し締めながら、即ち復元力を付与されながら前進する。このため、回転カム８のカム部が、継手９のカムに接触することにより回転し、さらに、軸筒４内周の固定カム４ｃに、係止解除されることにより繰り出し収納が行われる。
【００２１】
一方、シールキャップ３は中軸６とともに前進し、その支持部３ｂが前方に移動することにより、その支持部３ｂの後方に突設された係合爪３ｃが固定側となる先具１３の後端、即ち、第1係合部１３ｂに当接し、係合爪3ｃの突出角部3ｄが軸筒より径方向外側に延出した摺接面である第１係合部13ｂに摺接することによって、シールキャップ３は時計方向の回転力が付与されて回動し、内筒１の傾斜開口１ｂを開く。そして、この開いた傾斜開口１ｂを通って筆記体１０の筆記先端が外部に突出して筆記状態となる。
【００２２】
以上のように、この発明に係るキャップレス筆記具によれば、ノックスプリングに弾発力を付与する中軸の筆記方向への移動時に、係合爪に略直角曲面の突出角部を形成することにより、軸筒より径方向外側に延出した摺接面である第１係合部に摺接しやすくなり、蓋部を開く方向の回動力を摺接面に分散させて付与することにより、突出角部の変形を回避することができる。他方ノックスプリングの弾発力による中軸の収納方向への移動時に、係合爪が先具と軸筒とを接続する継手に設けられた軸筒より径方向外側に突出した係合端部に設けられた第２係合部に当接することによって、蓋部が傾斜開口を密閉する回動力を付与することができる。これにより片手で尾栓を軽くノック操作するだけで、筆記先端を軸筒より外部へ突出させて筆記状態若しくは収納状態にすることができる。
【００２３】
また、この時、上記軸受部を有する内筒の後方に突設された係合爪が、中軸の細径部の外周面に形成された段部に係合している。そのため、中軸の収納方向移動力に従って、内筒を介してシールキャップにも同じ方向の移動力が付与される。しかし、シールキャップは、係合爪が第２係合部に係合して移動できないため、上記移動力は軸受部を支点とするシールキャップの回動力に変換される。このため、シールキャップの蓋部は第2係合部が回転軸よりも軸方向前方に設けられていることにより、内筒の傾斜開口を上方より閉塞するので、上記の回動力が加わり、確実なエアータイトが得られて気密性が完全に保てる効果がある。
【００２４】
また、シールパッキン２が内筒１の先端および後端を覆うように介装されているので、上記利点と相俟って、より一層確実なエアータイトが得られる。その結果、キャップを用いることなく気密性を保つことが出来る効果がある。さらに、尾栓１２を中軸６の後端に着脱自在に取付けたので、尾栓１２を外すことにより、中軸６に収納した中綿１１が、容易に交換することができるという効果もある。
【００２５】
なお、図示した例では、中軸６の内径と尾栓１２の内径を一致させ、中綿１１は中軸６から尾栓１２の中まで収納しているが、尾栓１２は中空のものを用いなくてもよい。
また、中空のものを用いない場合には、中綿１１は中軸６の中にのみ収納されることになる。また、図示した例は、軸筒４の前端部に継手９を圧入固定し、この継手９に先具１３を組み付けた構成であるが、継手９と先具１３とを一体で構成してもよい。この場合は、内筒１の軸受部１ａが前後方向に移動できる空間と第１および第２係合部１３ｂ,９ｄに対応する係合部をそれぞれ設けることが必要である。また、図示した例は、ノックスプリング７を圧縮して弾発力を付与しているが、これとは反対に引き伸ばして弾発力を付与するようにしてもよい。
【図面の簡単な説明】
【００２６】
【図１】筆記体の収納状態を示す縦断面図である。
【図２】図１の前部の拡大縦断面図である。
【図３】筆記体の筆記先端を軸筒外へ突出させた筆記状態を示す縦断面図である。
【図４】図３の前部の拡大縦断面図である。
【符号の説明】
【００２７】
１  内筒
１ａ  軸受部
１ｂ  傾斜開口
１ｃ  係止片
２  シールパッキン
２ａ  傾斜開口
３  シールキャップ
３ａ  蓋部
３ｂ  支持部
３ｃ  係合爪
3ｄ  突出角部
４  軸筒
４ａ  ねじ部
４ｂ  フランジ
４ｃ  固定カム
５  クリップ
６  中軸
６ａ  後端部
６ｂ  中間部
６ｃ  細径部
６ｄ  段部
６ｅ  係止段部
７  ノックスプリング
８  回転カム
８ａ  係合突起
９  継手
９ａ  後端部
９ｂ  フランジ
９ｃ  係合部
９ｄ  第２係合部
１０  筆記体
１１  中綿
１２  尾栓
１３  先具
１３ａ  先端開口
13ｂ  第１係合部
１４  回転軸
【図１】
2009234027.tif 000003
【図２】
2009234027.tif 000004
【図３】
2009234027.tif 000005
【図４】
2009234027.tif 000006